【手続補正書】
【提出日】平成29年7月18日(2017.7.18)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
第１のデバイスを介して第１のメッセージを送信することと、前記第１のメッセージは前記第１のデバイスの送信好機の継続時間を示し、
前記第１のデバイスを介して第２のメッセージを受信することと、
前記送信好機の新しい継続時間を決定するために、前記第１のデバイスを介して前記第２のメッセージを復号することと、
を備え、
前記第１のデバイスによって送信されるデータを中継するために前記送信好機の少なくとも一部分を利用するための許可を、前記第１のデバイスが与えるかどうかを示すための前記第１のメッセージを生成することと、
中継された前記データに対して、明示的な肯定応答手順が使用されるか、又は暗示的な肯定応答手順が使用されるかを決定するために、前記第２のメッセージを復号することと、
前記送信好機中にデータパケットを送信することと、
前記肯定応答手順に基づいて、前記データパケットが肯定応答されているかどうかを決定することと
を更に備える方法。
【請求項２】
第２のデバイスが前記送信好機の前記継続時間を拡張するための許可を有するかどうかを示す、第３のメッセージを送信することを、更に備える請求項１に記載の方法。
【請求項３】
前記許可が与えられるかどうかを、前記第１のメッセージの順序フィールド又は中継フレームフィールドの中で示すことを、更に備える請求項１に記載の方法。
【請求項４】
前記第２のメッセージの継続時間フィールドに基づいて、ＮＡＶ満了時間を決定することと、
決定された前記ＮＡＶ満了時間が前記第１のメッセージの前記継続時間フィールドによって示されるＮＡＶ満了時間と異なる場合、前記肯定応答手順が明示的であると決定することと、
決定された前記ＮＡＶ満了時間が前記第１のメッセージの前記継続時間フィールドによって示される前記ＮＡＶ満了時間と同じである場合、前記肯定応答手順が暗示的であると決定することと、
を更に備える請求項１に記載の方法。
【請求項５】
ワイヤレス通信のための装置であって、
第１のメッセージを送信するように構成された送信機と、前記第１のメッセージは前記装置の送信好機の継続時間を示し、
第２のメッセージを受信するように構成された受信機と、
前記送信好機の新しい継続時間を決定するために、前記第２のメッセージを復号するように構成された処理システムと、
前記処理システムは、第１のデバイスによって送信されるデータを中継するために前記送信好機の少なくとも一部分を利用するための許可を、前記第１のデバイスが与えるかどうかを示すための前記第１のメッセージを生成するように更に構成され、
前記処理システムは、
中継された前記データに対して、明示的な肯定応答手順が使用されるか、又は暗示的な肯定応答手順が使用されるかを決定するために、前記第２のメッセージを復号し、
決定された前記肯定応答手順に基づいて、送信されたデータパケットが肯定応答されているかどうかを決定するように更に構成される、
を備える装置。
【請求項６】
前記送信機は、第２のデバイスが前記送信好機の前記継続時間を拡張するための許可を有するかどうかを示す、第３のメッセージを送信するように更に構成される、請求項５に記載の装置。
【請求項７】
前記処理システムは、前記許可が与えられるかどうかを、前記第１のメッセージの順序フィールド又は中継フレームフィールドの中で示すように更に構成される、請求項５に記載の装置。
【請求項８】
前記処理システムは、
前記第２のメッセージの継続時間フィールドに基づいて、ＮＡＶ満了時間を決定し、
決定された前記ＮＡＶ満了時間が前記第１のメッセージの前記継続時間フィールドによって示されるＮＡＶ満了時間と異なる場合、前記肯定応答手順が明示的であると決定し、
決定された前記ＮＡＶ満了時間が前記第１のメッセージの前記継続時間フィールドによって示される前記ＮＡＶ満了時間と同じである場合、前記肯定応答手順が暗示的であると決定するように更に構成される、
請求項５に記載の装置。
【請求項９】
ワイヤレス通信の方法であって、
第１のデバイスを介して第１のメッセージを受信することと、
第２のデバイスの送信好機の継続時間を決定するために、前記第１のメッセージを復号することと、
前記第１のデバイスを介して第２のメッセージを生成することと、前記第２のメッセージは前記送信好機の新しい継続時間を示す、
前記第２のメッセージを送信することと、
を備え、
前記送信好機中に前記第２のデバイスによって送信されるデータを中継するための許可が与えられるかどうかを決定するために、前記第１のメッセージを復号することと、
中継された前記データに対する肯定応答手順を示すための前記第２のメッセージを生成することと、
データを前記第２のデバイスから受信することと、
示された前記肯定応答手順に基づいて、前記データを肯定応答することと
を更に備える方法。
【請求項１０】
第３のメッセージを受信することと、
前記第１のデバイスが前記送信好機の前記継続時間を拡張するための許可を有するかどうかを決定するために、前記第３のメッセージを復号することと
を更に備える請求項９に記載の方法。
【請求項１１】
受信される前記データに対する明示的な肯定応答手順の使用を決定することと、
前記第２のメッセージの継続時間フィールドに基づいて前記第１のメッセージによって示されたＮＡＶ継続時間に比べて、拡張されたＮＡＶ継続時間を示すための前記第２のメッセージを生成することと
を更に備える請求項９に記載の方法。
【請求項１２】
ワイヤレス通信のための装置であって、
第１のメッセージを受信するように構成された受信機と、
第２のデバイスの送信好機の継続時間を決定するために前記第１のメッセージを復号し、前記送信好機の新しい継続時間を示す第２のメッセージを生成するように構成されたプロセッサと、
前記第２のメッセージを送信するように構成された送信機と、
前記プロセッサは、前記送信好機中に前記第２のデバイスによって送信されるデータを中継するための許可が与えられるかどうかを決定するために、前記第１のメッセージを復号し、
中継された前記データに対する肯定応答手順を示すための前記第２のメッセージを生成し、
データを前記第２のデバイスから受信し、
示された前記肯定応答手順に基づいて、前記データを肯定応答する
ように更に構成される、
を備える装置。
【請求項１３】
前記プロセッサは、
受信される前記データに対する明示的な肯定応答手順の使用を決定し、
前記第１のメッセージによって示されたＮＡＶ継続時間に比べて、拡張されたＮＡＶ継続時間を示すための前記第２のメッセージを生成するように更に構成される、
請求項１２に記載の装置。
【請求項１４】
前記プロセッサは、
前記第２のデバイスから受信される前記データの送信に対する推定時間、前記第２のデバイスの前記送信好機の前記継続時間、及び前記送信好機の中に残っている時間の量に基づいて、前記第２のメッセージの継続時間フィールドを決定し、
前記拡張されたＮＡＶ継続時間を、前記第２のメッセージの前記継続時間フィールドの中で示すように更に構成される、
請求項１３に記載の装置。
【請求項１５】
コンピュータ上で動作するときに、請求項１〜請求項４および請求項９〜請求項１１のうちのいずれか一項に記載の方法を実行するための命令を備える、コンピュータプログラム。
【手続補正２】
【補正対象書類名】明細書
【補正対象項目名】０２３６
【補正方法】変更
【補正の内容】
【０２３６】
[00239]上記は、本開示の態様を対象とするが、本開示の基本的な範囲を逸脱することなく、本開示の他の態様及び更なる態様が考案され得、本開示の範囲は以下の特許請求の範囲によって決定される。
以下に本願の出願当初の特許請求の範囲に記載された発明を付記する。
[Ｃ１]  ワイヤレス通信の方法であって、
第１のデバイスを介して第１のメッセージを送信することと、前記第１のメッセージは前記第１のデバイスの送信好機の継続時間を示し、
前記第１のデバイスを介して第２のメッセージを受信することと、
前記送信好機の新しい継続時間を決定するために、前記第１のデバイスを介して前記第２のメッセージを復号することと
を備える方法。
[Ｃ２]  前記第１のメッセージを、送信要求メッセージ、ｐｓポールフレーム、又はトリガフレームのうちの１つとして生成することを、更に備えるＣ１に記載の方法。
[Ｃ３]  前記第２のメッセージを、送信可メッセージとして、又は送信要求メッセージとして復号することを、更に備えるＣ１に記載の方法。
[Ｃ４]  第２のデバイスが前記送信好機の前記継続時間を拡張するための許可を有するかどうかを示す、第３のメッセージを送信することを、更に備えるＣ１に記載の方法。
[Ｃ５]  前記第１のデバイスによって送信されるデータを中継するために前記送信好機の少なくとも一部分を利用するための許可を、前記第１のデバイスが与えるかどうかを示すための前記第１のメッセージを生成することを、更に備えるＣ１に記載の方法。
[Ｃ６]  前記許可が与えられるかどうかを、前記第１のメッセージの順序フィールド又は中継フレームフィールドの中で示すことを、更に備えるＣ５に記載の方法。
[Ｃ７]  前記中継データに対して明示的又は暗示的な肯定応答手順が使用されるかどうかを決定するために、前記第２のメッセージを復号することと、
前記送信好機中にデータパケットを送信することと、
前記肯定応答手順に基づいて、前記データパケットが肯定応答されているかどうかを決定することと
を更に備えるＣ５に記載の方法。
[Ｃ８]  前記第２のメッセージの継続時間フィールドに基づいて、ＮＡＶ満了時間を決定することと、
決定された前記ＮＡＶ満了時間が前記第１のメッセージの継続時間フィールドによって示されるＮＡＶ満了時間と異なる場合、前記肯定応答手順が明示的であると決定することと、
決定された前記ＮＡＶ満了時間が前記第１のメッセージの前記継続時間フィールドによって示される前記ＮＡＶ満了時間と同じである場合、前記肯定応答手順が暗示的であると決定することと、
を更に備えるＣ７に記載の方法。
[Ｃ９]  ワイヤレス通信のための装置であって、
第１のメッセージを送信するように構成された送信機と、前記第１のメッセージは前記装置の送信好機の継続時間を示し、
第２のメッセージを受信するように構成された受信機と、
前記送信好機の新しい継続時間を決定するために、前記第２のメッセージを復号するように構成された処理システムと
を備える装置。
[Ｃ１０]  前記送信機は、第２のデバイスが前記送信好機の前記継続時間を拡張するための許可を有するかどうかを示す、第３のメッセージを送信するように更に構成される、Ｃ９に記載の装置。
[Ｃ１１]  前記処理システムは、第１のデバイスによって送信されるデータを中継するために前記送信好機の少なくとも一部分を利用するための許可を、前記第１のデバイスが与えるかどうかを示すための前記第１のメッセージを生成するように更に構成される、Ｃ９に記載の装置。
[Ｃ１２]  前記処理システムは、前記許可が与えられるかどうかを、前記第１のメッセージの順序フィールド又は中継フレームフィールドの中で示すように更に構成される、Ｃ１１に記載の装置。
[Ｃ１３]  前記処理システムは、
前記中継データに対して明示的又は暗示的な肯定応答手順が使用されるかどうかを決定するために、前記第２のメッセージを復号し、
前記決定された肯定応答手順に基づいて、送信されたデータパケットが肯定応答されているかどうかを決定するように更に構成される、
Ｃ１１に記載の装置。
[Ｃ１４]  前記処理システムは、
前記第２のメッセージの継続時間フィールドに基づいて、ＮＡＶ満了時間を決定し、
決定された前記ＮＡＶ満了時間が前記第１のメッセージの継続時間フィールドによって示されるＮＡＶ満了時間と異なる場合、前記肯定応答手順が明示的であると決定し、
決定された前記ＮＡＶ満了時間が前記第１のメッセージの前記継続時間フィールドによって示される前記ＮＡＶ満了時間と同じである場合、前記肯定応答手順が暗示的であると決定するように更に構成される、
Ｃ１３に記載の装置。
[Ｃ１５]  ワイヤレス通信の方法であって、
第１のデバイスを介して第１のメッセージを受信することと、
第２のデバイスの送信好機の継続時間を決定するために、前記第１のメッセージを復号することと、
前記第１のデバイスを介して第２のメッセージを生成することと、前記第２のメッセージは前記送信好機の新しい継続時間を示す、
前記第２のメッセージを送信することと
を備える方法。
[Ｃ１６]  第３のメッセージを受信することと、
前記第１のデバイスが前記送信好機の前記継続時間を拡張するための許可を有するかどうかを決定するために、前記第３のメッセージを復号することと
を更に備えるＣ１５に記載の方法。
[Ｃ１７]  前記送信好機中に前記第２のデバイスによって送信されるデータを中継するための許可が与えられるかどうかを決定するために、前記第１のメッセージを復号することを、更に備えるＣ１５に記載の方法。
[Ｃ１８]  前記中継データに対する肯定応答手順を示すための前記第２のメッセージを生成することと、
データを前記第２のデバイスから受信することと、
前記示された肯定応答手順に基づいて、前記データを肯定応答することと
を更に備えるＣ１７に記載の方法。
[Ｃ１９]  受信される前記データに対する明示的な肯定応答手順の使用を決定することと、
前記第１のメッセージによって前記第２のメッセージの継続時間フィールドに基づいて示されたＮＡＶ継続時間に比べて、拡張されたＮＡＶ継続時間を示すための前記第２のメッセージを生成することと
を更に備えるＣ１８に記載の方法。
[Ｃ２０]  前記第２のデバイスから受信される前記データの送信に対する推定時間、前記第２のデバイスの前記送信好機の前記継続時間、及び前記送信好機の中に残っているある量の時間に基づいて、前記第２のメッセージの継続時間フィールドを決定することと、
前記拡張されたＮＡＶ継続時間を、前記第２のメッセージの前記継続時間フィールドの中で示すことと
を更に備えるＣ１９に記載の方法。
[Ｃ２１]  受信される前記データに対する暗示的な肯定応答手順の使用を決定することと、
前記第１のメッセージによって前記第２のメッセージの継続時間フィールドに基づいて示されたＮＡＶ継続時間に比べて、変更されないＮＡＶ継続時間を示すための前記第２のメッセージを生成することとを更に備えるＣ１８に記載の方法。
[Ｃ２２]  前記第２のメッセージが暗示的な肯定応答手順を示す場合、前記データを受信したことに応答して、送信要求メッセージを第３のデバイスへ送信することを、更に備えるＣ１８に記載の方法。
[Ｃ２３]  ワイヤレス通信のための装置であって、
第１のメッセージを受信するように構成された受信機と、
第２のデバイスの送信好機の継続時間を決定するために前記第１のメッセージを復号し、前記送信好機の新しい継続時間を示す第２のメッセージを生成するように構成された処理システムと、
前記第２のメッセージを送信するように構成された送信機とを備える装置。
[Ｃ２４]  前記処理システムは、前記第１のメッセージを、送信要求メッセージ、ｐｓポールフレーム、又はトリガフレームのうちの１つとして復号するように更に構成される、Ｃ２３に記載の装置。
[Ｃ２５]  前記プロセッサは、前記送信好機中に前記第２のデバイスによって送信されるデータを中継するための許可が与えられるかどうかを決定するために、前記第１のメッセージを復号するように更に構成される、Ｃ２３に記載の装置。
[Ｃ２６]  前記プロセッサは、
前記中継データに対する肯定応答手順を示すための前記第２のメッセージを生成し、
データを前記第２のデバイスから受信し、
示された前記肯定応答手順に基づいて、前記データを肯定応答するように更に構成される、
Ｃ２５に記載の装置。
[Ｃ２７]  前記プロセッサは、
受信される前記データに対する明示的な肯定応答手順の使用を決定し、
前記第１のメッセージによって示されたＮＡＶ継続時間に比べて、拡張されたＮＡＶ継続時間を示すための前記第２のメッセージを生成するように更に構成される、
Ｃ２６に記載の装置。
[Ｃ２８]  前記プロセッサは、
前記第２のデバイスから受信される前記データの送信に対する推定時間、前記第２のデバイスの前記送信好機の前記継続時間、及び前記送信好機の中に残っているある量の時間に基づいて、前記第２のメッセージの継続時間フィールドを決定し、
前記拡張されたＮＡＶ継続時間を、前記第２のメッセージの前記継続時間フィールドの中で示すように更に構成される、
Ｃ２７に記載の装置。
[Ｃ２９]  前記プロセッサは、
受信される前記データに対する暗示的な肯定応答手順の使用を決定し、
前記第１のメッセージによって前記第２のメッセージの継続時間フィールドに基づいて示されたＮＡＶ継続時間に比べて、変更されないＮＡＶ継続時間を示すための前記第２のメッセージを生成するように更に構成される、Ｃ２６に記載の装置。
[Ｃ３０]  前記送信機は、前記第２のメッセージが暗示的な肯定応答手順を示す場合、前記データを受信したことに応答して、送信要求メッセージを第３のデバイスへ送信するように更に構成される、Ｃ２６に記載の装置。